【手続補正書】
【提出日】平成15年8月29日(2003.8.29)
【手続補正１】
【補正対象書類名】明細書
【補正対象項目名】特許請求の範囲
【補正方法】変更
【補正の内容】
【特許請求の範囲】
【請求項１】
映像を表示するモニタと、モニタに表示された情報を選択する情報選択手段と、テキスト情報を入力するテキスト情報入力手段と、前記テキスト情報を記憶しておくテキスト情報記憶手段と、前記記憶されているテキスト情報から単語を切り出す単語切り出し手段と、前記切り出された単語の出現頻度を計数する単語出現頻度計数手段と、その出現頻度に応じて単語情報を管理するトレンド情報管理手段と、電話回線などによりインターネットに接続するインターネット接続手段と、インターネット上のホームページを閲覧するためのホームページブラウザと、前記モニタに表示されているトレンド情報管理手段で管理されているトレンドキーワードから前記情報選択手段で選択されたトレンドキーワードを検索キーとしてインターネット上の検索エンジンに入力する検索キー入力手段とを備えていることを特徴とするインターネット検索装置。
【請求項２】
単語切り出し手段によって切り出された単語のうち類似するもの同士を併合する類似単語併合手段を備え、トレンド情報管理手段はその併合状態での単語情報を出現頻度に応じて管理するものであることを特徴とする請求項１に記載のインターネット検索装置。
【請求項３】
映像を表示するモニタと、モニタに表示された情報を選択する情報選択手段と、番組の主要な出演者の情報を含む番組情報を受信する番組情報受信手段と、前記番組情報を記憶する番組情報記憶手段と、前記番組情報における出演者情報から出演者名の単語を切り出す単語切り出し手段と、出演者の出現頻度を計数する単語出現頻度計数手段と、その出現頻度に応じて出演者情報を管理するトレンド情報管理手段と、電話回線などによりインターネットに接続するインターネット接続手段と、インターネット上のホームページを閲覧するためのホームページブラウザと、前記モニタに表示されているトレンド情報管理手段で管理されているトレンドキーワードから前記情報選択手段で選択されたトレンドキーワードを検索キーとしてインターネット上の検索エンジンに入力する検索キー入力手段とを備え、前記情報選択手段で選択されたトレンド出演者情報を検索キーとして入力することを特徴とするインターネット検索装置。
【請求項４】
前記番組情報受信手段が番組の内容についての概要情報を含む番組情報を受信でき、前記単語切り出し手段が前記番組の内容についての概要情報から単語を切り出し、前記検索キー入力手段が前記情報選択手段で選択されたトレンド単語情報を検索キーとして入力する請求項３に記載のインターネット検索装置。
【請求項５】
前記番組情報記憶手段で記憶されている番組情報からトレンドに係るジャンルの番組情報を選別する番組情報選別手段を備え、前記単語出現頻度計数手段は前記選別された番組情報の単語情報から単語の出現頻度を計数するように構成されている請求項３に記載のインターネット検索装置。
【請求項６】
映像を表示するモニタと、モニタに表示された情報を選択する情報選択手段と、文字放送を受信する文字放送受信手段と、受信した文字放送のテキスト情報を記憶しておく文字放送記憶手段と、記憶されている文字放送のテキスト情報から単語を切り出す単語切り出し手段と、切り出された単語の出現頻度を計数する単語出現頻度計数手段と、その出現頻度に応じて単語情報を管理するトレンド情報管理手段と、電話回線などによりインターネットに接続するインターネット接続手段と、インターネット上のホームページを閲覧するためのホームページブラウザと、前記モニタに表示されているトレンド情報管理手段で管理されているトレンドキーワードから前記情報選択手段で選択されたトレンドキーワードを検索キーとしてインターネット上の検索エンジンに入力する検索キー入力手段とを備え、前記情報選択手段で選択されたトレンド単語情報を検索キーとして入力することを特徴とするインターネット検索装置。
【請求項７】
テレビ放送受信手段を備え、
テレビ放送の受信とキーワードによるインターネットでの情報検索が可能であることを特徴とした請求項１から請求項６までのいずれか１項に記載のインターネット検索装置。
【請求項８】
テキスト情報を入力するテキスト情報入力手段と、前記入力されたテキスト情報から単語を切り出す単語切り出し手段と、前記切り出された単語の出現頻度を計数する単語出現頻度計数手段と、その出現頻度に応じて単語情報を管理するトレンド情報管理手段と、インターネットに接続するインターネット接続手段と、前記トレンド情報管理手段で管理されている単語情報から得られたトレンドキーワードを検索キーとしてインターネット上の検索エンジンに入力する検索キー入力手段とを備えていることを特徴とするインターネット検索装置。
【請求項９】
番組情報を受信する番組情報受信手段と、前記番組情報を記憶する番組情報記憶手段と、前記番組情報からトレンドキーワードとなる単語を切り出す単語切り出し手段と、トレンドキーワードとなる単語の出現頻度を計数する単語出現頻度計数手段と、その出現頻度に応じてトレンドキーワードとなる単語を管理するトレンド情報管理手段と、インターネットに接続するインターネット接続手段と、前記トレンド情報管理手段で管理されているトレンドキーワードを検索キーとしてインターネット上の検索エンジンに入力する検索キー入力手段とを備えたインターネット検索装置。
【請求項１０】
文字放送を受信する文字放送受信手段と、受信した文字放送のテキスト情報を記憶しておく文字放送記憶手段と、記憶されている文字放送のテキスト情報から単語を切り出す単語切り出し手段と、切り出された単語の出現頻度を計数する単語出現頻度計数手段と、その出現頻度に応じてトレンドキーワードとなる単語情報を管理するトレンド情報管理手段と、インターネットに接続するインターネット接続手段と、前記トレンド情報管理手段で管理されているトレンドキーワードを検索キーとしてインターネット上の検索エンジンに入力する検索キー入力手段とを備えるインターネット検索装置。
【請求項１１】
単語切り出し手段によって切り出された単語のうち類似するもの同士を併合する類似単語併合手段を備え、トレンド情報管理手段はその併合状態での単語情報を出現頻度に応じて管理するものであることを特徴とする請求項８から１０のいずれかに記載のインターネット検索装置。
【請求項１２】
コンピュータにより、入力されたテキスト情報から単語を切り出す単語切り出しステップと、前記切り出された単語の出現頻度を計数する単語出現頻度計数ステップと、その出現頻度に応じて単語情報を管理するトレンド情報管理ステップと、前記トレンド情報管理ステップで管理されている単語情報から得られたトレンドキーワードを検索キーとしてインターネット上の検索エンジンに入力する検索キー入力ステップとを備えていることを特徴とするインターネット検索方法。
【請求項１３】
コンピュータにより、番組名、番組放映日時、放送チャンネル、番組出演者、番組ジャンル、番組内容などの番組情報からトレンドキーワードとなる単語を切り出す単語切り出しステッブと、トレンドキーワードとなる単語の出現頻度を計数する単語出現頻度計数ステップと、その出現頻度に応じてトレンドキーワードとなる単語を管理するトレンド情報管理ステップと、前記トレンド情報管理ステップで管理されているトレンドキーワードを検索キーとしてインターネット上の検索エンジンに入力する検索キー入カステップとを備えていることを特徴とするインターネット検索方法。
【手続補正２】
【補正対象書類名】明細書
【補正対象項目名】０００５
【補正方法】変更
【補正の内容】
【０００５】
上記の目的を達成するために、本発明による第１のインターネット検索装置は、映像を表示するモニタと、モニタに表示された情報を選択する情報選択手段と、テキスト情報を入力するテキスト情報入力手段と、前記テキスト情報を記憶しておくテキスト情報記憶手段と、前記記憶されているテキスト情報から単語を切り出す単語切り出し手段と、前記切り出された単語の出現頻度を計数する単語出現頻度計数手段と、その出現頻度に応じて単語情報を管理するトレンド情報管理手段と、電話回線などによりインターネットに接続するインターネット接続手段と、インターネット上のホームページを閲覧するためのホームページブラウザと、前記モニタに表示されているトレンド情報管理手段で管理されているトレンドキーワードから前記情報選択手段で選択されたトレンドキーワードを検索キーとしてインターネット上の検索エンジンに入力する検索キー入力手段とを備える。また、上記第１のインターネット検索装置は、テキスト情報を入力するテキスト情報入力手段と、前記入力されたテキスト情報から単語を切り出す単語切り出し手段と、前記切り出された単語の出現頻度を計数する単語出現頻度計数手段と、その出現頻度に応じて単語情報を管理するトレンド情報管理手段と、インターネットに接続するインターネット接続手段と、前記トレンド情報管理手段で管理されている単語情報から得られたトレンドキーワードを検索キーとしてインターネット上の検索エンジンに入力する検索キー入力手段とを備えている態様とすることもできる。かかる構成により、テキスト情報の中から出現頻度の高いトレンド単語を自動で抽出し、それを検索エンジンにかけることができ、入力されたテキスト情報において重要な意味合いを持つキーワードについての詳細な関連情報を簡単に閲覧することができる。


【手続補正３】
【補正対象書類名】明細書
【補正対象項目名】０００７
【補正方法】変更
【補正の内容】
【０００７】
次に本発明の第２のインターネット検索装置は、映像を表示するモニタと、モニタに表示された情報を選択する情報選択手段と、番組の主要な出演者の情報を含む番組情報を受信する番組情報受信手段と、前記番組情報を記憶する番組情報記憶手段と、前記番組情報における出演者情報から出演者名の単語を切り出す単語切り出し手段と、出演者の出現頻度を計数する単語出現頻度計数手段と、その出現頻度に応じて出演者情報を管理するトレンド情報管理手段と、電話回線などによりインターネットに接続するインターネット接続手段と、インターネット上のホームページを閲覧するためのホームページブラウザと、前記モニタに表示されているトレンド情報管理手段で管理されているトレンドキーワードから前記情報選択手段で選択されたトレンドキーワードを検索キーとしてインターネット上の検索エンジンに入力する検索キー入力手段とを備える。かかる構成により、テキスト情報として衛星デジタル放送で送られてくる番組情報を用い、特にその中から出演者情報からトレンド単語を抽出しているため、トレンドである俳優や歌手などの情報をインターネット上から簡単に閲覧することができる。また、上記第２のインターネット検索装置は、番組情報を受信する番組情報受信手段と、前記番組情報を記憶する番組情報記憶手段と、前記番組情報からトレンドキーワードとなる単語を切り出す単語切り出し手段と、トレンドキーワードとなる単語の出現頻度を計数する単語出現頻度計数手段と、その出現頻度に応じてトレンドキーワードとなる単語を管理するトレンド情報管理手段と、インターネットに接続するインターネット接続手段と、前記トレンド情報管理手段で管理されているトレンドキーワードを検索キーとしてインターネット上の検索エンジンに入力する検索キー入力手段とを備えた態様とすることもできる。
【手続補正４】
【補正対象書類名】明細書
【補正対象項目名】００１０
【補正方法】変更
【補正の内容】
【００１０】
次に本発明の第３のインターネット検索装置は、映像を表示するモニタと、モニタに表示された情報を選択する情報選択手段と、文字放送を受信する文字放送受信手段と、受信した文字放送のテキスト情報を記憶しておく文字放送記憶手段と、記憶されている文字放送のテキスト情報から単語を切り出す単語切り出し手段と、切り出された単語の出現頻度を計数する単語出現頻度計数手段と、その出現頻度に応じて単語情報を管理するトレンド情報管理手段と、電話回線などによりインターネットに接続するインターネット接続手段と、インターネット上のホームページを閲覧するためのホームページブラウザと、前記モニタに表示されているトレンド情報管理手段で管理されているトレンドキーワードから前記情報選択手段で選択されたトレンドキーワードを検索キーとしてインターネット上の検索エンジンに入力する検索キー入力手段とを備え、出現頻度順に従ってトレンド単語情報を検索キーとして入力する。また、上記第２のインターネット検索装置は、文字放送を受信する文字放送受信手段と、受信した文字放送のテキスト情報を記憶しておく文字放送記憶手段と、記憶されている文字放送のテキスト情報から単語を切り出す単語切り出し手段と、切り出された単語の出現頻度を計数する単語出現頻度計数手段と、その出現頻度に応じてトレンドキーワードとなる単語情報を管理するトレンド情報管理手段と、インターネットに接続するインターネット接続手段と、前記トレンド情報管理手段で管理されているトレンドキーワードを検索キーとしてインターネット上の検索エンジンに入力する検索キー入力手段とを備えた態様とすることもできる。かかる構成により、テキスト情報として文字放送を用いてトレンド単語を抽出しているため、最新のニュースから最新のトレンドであるトピックについての情報をインターネット上から簡単に閲覧することができる。


【手続補正５】
【補正対象書類名】明細書
【補正対象項目名】００１１
【補正方法】変更
【補正の内容】
【００１１】
さらに前記第１〜第３のインターネット検索装置において、テレビ放送受信手段を備えることが好ましい。これにより、テレビ放送の受信とキーワードによるインターネットでの情報検索が可能になる。
また、上記の目的を達成するために、本発明の第１のインターネット検索方法は、コンピュータにより、入力されたテキスト情報から単語を切り出す単語切り出しステップと、前記切り出された単語の出現頻度を計数する単語出現頻度計数ステップと、その出現頻度に応じて単語情報を管理するトレンド情報管理ステップと、前記トレンド情報管理ステップで管理されている単語情報から得られたトレンドキーワードを検索キーとしてインターネット上の検索エンジンに入力する検索キー入力ステップとを備えていることを特徴とする。
更に、上記の目的を達成するために、本発明の第２のインターネット検索方法は、コンピュータにより、番組名、番組放映日時、放送チャンネル、番組出演者、番組ジャンル、番組内容などの番組情報からトレンドキーワードとなる単語を切り出す単語切り出しステッブと、トレンドキーワードとなる単語の出現頻度を計数する単語出現頻度計数ステップと、その出現頻度に応じてトレンドキーワードとなる単語を管理するトレンド情報管理ステップと、前記トレンド情報管理ステップで管理されているトレンドキーワードを検索キーとしてインターネット上の検索エンジンに入力する検索キー入カステップとを備えていることを特徴とする。